(57)【要約】【課題】多層記録媒体において記録時の記録品質を向上することが可能な情報記録再生装置を提供する。【解決手段】複数の記録層が積層された多層構成の光ディスク１の記録データ中に誤り訂正能力を高めるためのピケットコードを埋め込んでおく。光ディスク１のデータ再生中にピケットコードの誤り検出を行い、誤り検出手段の誤り結果に基づいてデータ再生中の記録層の誤り検出位置の欠陥登録を行う。また、データ再生中の記録層に対して下層側に配置された記録層の、データ再生中の記録層の誤り欠陥位置に対応する位置の欠陥登録を行う。【選択図】図２
2008059628.tif 000002
【特許請求の範囲】
【請求項１】
複数の記録層が積層された多層構成の記録媒体に情報を記録又は再生する情報記録再生装置において、前記記録媒体の記録データ中にピケットコードが埋め込まれており、前記記録媒体のデータ再生中に前記ピケットコードの誤り検出を行う手段と、前記誤り検出手段の誤り結果に基づいて前記データ再生中の記録層の誤り検出位置の欠陥登録を行い、且つ、前記データ再生中の記録層に対して下層側の記録層の、前記データ再生中の記録層の誤り欠陥位置に対応する位置を欠陥登録する手段とを備えたことを特徴とする情報記録再生装置。
【請求項２】
前記誤り検出手段は、前記ピケットコードの誤り検出結果が、予め設定された閾値以上である場合に欠陥を検出することを特徴とする請求項１に記載の情報記録再生装置。
【請求項３】
前記欠陥登録手段は、前記データ再生中の記録層に対して下層側に配置された記録層の、前記データ再生中の記録層の誤り欠陥位置に対応する位置が、未記録状態又は既記録状態の場合に欠陥登録を行うことを特徴とする請求項１又は２に記載の情報記録再生装置。
【請求項４】
前記閾値は前記記録媒体或いは装置の振動状態又は周囲温度の条件に応じて可変であることを特徴とする請求項２に記載の情報記録再生装置。
【発明の詳細な説明】
【技術分野】
【０００１】
本発明は、複数の記録層を有する多層記録媒体に情報を記録又は再生する情報記録再生装置、特に、多層記録媒体の欠陥処理に関するものである。
【背景技術】
【０００２】
従来、光ディスク装置においては、例えば、特開２００３−１２３３９２号公報で誤り訂正能力を高めるため、各同期ブロックのデータ内に訂正能力の高いピケットコードを挿入する手法が提案されている（特許文献１）。そして、同公報の手法は、データ再生の際には、誤り訂正処理の信頼性が高いピケットコードの誤りを検出することにより、ピケットコードとピケットコードに挟まれた範囲のデータを消失誤り訂正として誤り訂正を行うというものである。
【特許文献１】特開２００３−１２３３９２号公報
【発明の開示】
【発明が解決しようとする課題】
【０００３】
特許文献１の方法では、ピケットコードを使用することにより、再生面の傷やほこり付着等による再生データのバーストエラーにも対応した誤り訂正処理が可能であり、再生信号品質を向上させることが可能となる。また、複数の記録層を有する多層構造の光ディスクの場合には、再生時に傷やほこりに対しては消失誤り訂正処理によって光ディスクに記録されていたデータを復元することは可能である。しかし、傷やほこりが存在したまま再生層以外の層にデータ記録を行う場合には、傷やほこりが存在する個所は正常に記録することが困難となる。
【０００４】
本発明の目的は、多層記録媒体において記録時の記録品質を向上することが可能な情報記録再生装置を提供することにある。
【課題を解決するための手段】
【０００５】
本発明は、複数の記録層が積層された多層構成の記録媒体の記録データ中に誤り訂正能力を高めるためのピケットコードを埋め込んでおく。そして、記録媒体のデータ再生中にピケットコードの誤り検出を行い、誤り検出手段の誤り結果に基づいてデータ再生中の記録層の誤り検出位置の欠陥登録を行う。また、データ再生中の記録層に対して下層側の記録層の、データ再生中の記録層の誤り欠陥位置に対応する位置の欠陥登録を行う。そうすることで、記録時の記録品質を向上させる。
【発明の効果】
【０００６】
本発明によれば、ピケットコードの誤り検出結果に基づいて欠陥登録を行い、更に、下層側の記録層に対しても予め記録不可の個所として欠陥登録を行うことにより、記録時の記録品質を向上させることが可能となる。即ち、多層構造の記録媒体を再生した時にデータ復号は可能だったが、誤り検出結果が顕著に悪化している個所は次に記録を行う時にデータを正常に記録できない可能性があるが、予め下層側の記録層も欠陥登録を行うことで、記録品質を向上できる。
【発明を実施するための最良の形態】
【０００７】
次に、発明を実施するための最良の形態について図面を参照して詳細に説明する。図１は本発明に係る情報記録再生装置の一実施形態の構成を示すブロック図である。図中１は情報記録媒体である光ディスクであり、複数の記録層が積層された多層ディスクである。本実施形態では、光ディスク１は、例えば、４層の記録層が積層された４層ディスクとする。もちろん、本発明は、それ以上或いはそれ以下の記録層を有する光ディスクの場合でも使用することが可能である。
【０００８】
また、２は光ディスク１を回転駆動するスピンドルモータ、３はスピンドルモータ２を制御するモータ制御回路、５は光ディスク１に情報を記録又は再生するためのヘッド部、４はヘッド部５を制御するサーボ・ヘッド制御回路である。
【０００９】
６は光ディスク１に記録するデータをＡＤ変換し、光ディスク１から読み出されたデータをＤＡ変換するＡＤ／ＤＡ変換回路、７は記録データを変調、再生データを復調する変調・復調回路、８は画像・音声データ等の主信号とピケットコードを分離するＭＵＸ／ＤＥＭＵＸ回路である。
【００１０】
９はピケットコードの符号化と復号化を行うピケットコード符号化・復号化回路、１０はバーストエラー検出回路、１１はアドレス検出回路、１２は欠陥検出回路、１３は欠陥登録回路、１４は信号処理・ＥＣＣ回路である。
【００１１】
次に、光ディスク１からデータを再生する場合の動作を図１、図２を参照して説明する。図２は再生時の動作を示すフローチャートである。まず、図示しないＣＰＵ（装置の各部を制御する制御回路）はモータ制御回路３を制御してスピンドルモータ２を駆動し、光ディスク１を回転駆動する（Ｓ１０１）。
【００１２】
光ディスク１が回転した状態で、ヘッド部５により光ディスク１に記録されている動画信号・音声信号等の連続性データが光／電気変換処理され（Ｓ１０２）、得られたデータ信号はＡＤ／ＤＡ変換回路６でＡ／Ｄ変換処理される（Ｓ１０３）。光ディスク１には、後述するように、例えば、動画信号・音声信号等の主信号が記録され、その主信号中に一定間隔でピケットコードが挿入されている。
【００１３】
Ａ／Ｄ変換されたデータは変調・復調回路７で復調処理され（Ｓ１０４）、ＭＵＸ／ＤＥＭＵＸ回路８に送信される。変調・復調回路７からの復調データはＭＵＸ／ＤＥＭＵＸ回路８でピケットコードと動画信号・音声信号等の主信号に分離される（Ｓ１０５）。また、変調・復調回路７からの復調データはアドレス検出回路１１に送られ、光ディスクアドレス情報（セクタアドレス）が再生される（Ｓ１０６）。
【００１４】
ＭＵＸ／ＤＥＭＵＸ回路８で分離されたピケットコードはピケットコード符号化・復号化回路9にて復号化して誤り検出を行う（Ｓ１０７）。分離された主信号は信号処理・ＥＣＣ回路１４に送られる。
【００１５】
通常、ピケットコードはピケットコードのみでデコード可能にするため、ピケットコード単独で符号化されたデータであり、符号化された方式毎に復号化を行う。例えば、リードソロモン符号、ＢＣＨ符号等で符号化されている場合には、ピケットコード内部に情報データ部、パリティ部を有しており、ユークリッド法、ピーターソン法等の数種の解法によりピケットコードの復号化が可能である。誤り検出ももちろん可能となる。
【００１６】
また、ピケットコード内に有効なデータを埋め込むことは可能であるが、動画信号・音声信号等の主信号のみの再生の際にピケットコードを使用する場合には、ピケットコードは誤り訂正を行う必要は無い。つまり、誤り検出を行い、誤りがあるピケットコードに挟まれている主信号を検出できれば良い。
【００１７】
但し、再生データの光ディスク位置情報がピケットコードに含まれている場合には、ピケットコード符号化・復号化回路９は誤り検出のみではなく、誤り訂正まで処理を行い、ピケットコードを完全に復号する（Ｓ１０８）。その後、ピケットコードに含まれているアドレス情報を検出する（Ｓ１０９）。
【００１８】
一方、ピケットコード符号化・復号化回路９で求めたピケットコードの誤り検出結果から、図３に示すように消失訂正区間をバーストエラー検出回路１０で検出する（Ｓ１０７）。図３は光ディスク１の１つの記録層のデータを模式的に示すものであり、画像・音声信号等の主信号にピケットコードが挿入されている。また、ピケットコード誤り検出個所に挟まれた範囲を消失訂正区間として示す。
【００１９】
Ｓ１０５にてＭＵＸ／ＤＥＭＵＸ回路８で分離された主信号は、上述のように信号処理・ＥＣＣ回路１４に送られるが、その際、図３に示すようにバーストエラー検出回路１０で検出された消失訂正区間に対して復号化、消失訂正処理を行う（Ｓ１１０）。また、主信号に関して通常のエラーが検出された場合には信号処理・ＥＣＣ回路１４は復号化、ランダム訂正を行う（Ｓ１１１）。
【００２０】
このように信号処理・ＥＣＣ回路１４はバースト検出回路１０のバースト検出結果に基づいて主信号の誤り訂正処理を行う。そして、信号処理・ＥＣＣ回路１４で訂正処理された主信号は誤り訂正完了或いは未完了フラグと共に画像処理部へ出力データ１５として送信される（Ｓ１１２）。
【００２１】
一方、バーストエラー検出回路１０はピケットコードのエラー率の算出も行う（Ｓ１１３）。算出結果は欠陥検出回路１２に送信され、欠陥検出回路１２はピケットコードのエラー率と予めＣＰＵから設定された閾値とを比較してエラー率の評価を行う（Ｓ１１４）。その際、エラー率が閾値以上の場合に欠陥と判断する。また、欠陥検出回路１２はピケットコードを復号して得られた光ディスク位置情報或いは光ディスク１から直接検出した位置情報を基に欠陥登録すべきディスク位置のアドレス（セクタアドレス）を算出する。
【００２２】
例えば、図４に示すように光ディスク１の最上層から２番目の記録層（Ｌ１層）を再生しているものとし、記録データに挿入されているピケットコードのエラー率が閾値以上を示す場合には、その位置（セクタ）を欠陥位置と判断する。
【００２３】
欠陥個所を検出すると、欠陥登録回路１３は欠陥情報（セクタアドレス等）を光ディスクの欠陥登録記録エリア（予め作成されている欠陥情報エリア）に記録（更新）するか、若しくは装置のメモリに登録する（Ｓ１１５）。光ディスクの欠陥登録記録エリアは各記録層に設けられたスペースエリアを使用する。
【００２４】
次に、図４に示すように記録層Ｌ１の下層側に位置するヘッド部５側と反対方向の記録層Ｌ２、Ｌ３に対して、記録層Ｌ１の欠陥位置に垂直方向に対応する記録位置も同様に欠陥登録個所とし、そのアドレスを算出する（Ｓ１１６）。そして、その記録層Ｌ２、Ｌ３の記録位置（セクタ等）を欠陥個所として登録する（Ｓ１１７）。
【００２５】
なお、記録層Ｌ２、Ｌ３の位置を欠陥登録する場合には、その位置が未記録状態、或いは既記録状態であっても欠陥登録するのが良い。
【００２６】
ここで、光ディスク１の記録層Ｌ１でバーストエラーが生じた場合には、光ディスク１の表面、即ち、ヘッド部５側のディスク面（記録層Ｌ０側面）に傷やほこりが付いている可能性がある。
【００２７】
ヘッド部５側のディスク面に傷やほこりが存在する場合には、データ再生時は消失誤り訂正等の誤り訂正復号処理でデータ再生が可能となる場合があるが、記録時には傷やほこりの影響を除く手段が通常は存在しない。そのため、記録品質の向上のために図４に示すように記録層Ｌ２やＬ３の欠陥登録を行うことは大変有効である。
【００２８】
なお、上述のようにＣＰＵが設定する閾値は、光ディスク１や装置の振動或いは周囲温度の条件に応じて可変とするのが望ましい。
【００２９】
また、例えば、図４に示す記録層Ｌ０で同様に欠陥が検出された場合には、記録層Ｌ０の下層側に位置する記録層Ｌ１、Ｌ２、Ｌ３の位置も同様に欠陥登録を行う。更に、記録層Ｌ２で欠陥が検出された場合には、その下層側に位置する記録層Ｌ３に対して同様に欠陥登録を行う。記録層Ｌ３で欠陥が検出された場合には、その層が最下層に位置するため、他の記録層の欠陥登録はしない。
【００３０】
次に、光ディスク１にデータを記録する場合の動作を図１、図５を用いて説明する。図５は記録時の動作を示すフローチャートである。
【００３１】
まず、図示しない画像処理部から入力データ（主信号）１６が入力されると（Ｓ２０１）、信号処理・ＥＣＣ回路１４は、例えば、リードソロモン符号やＢＣＨ符号等の所定のフォーマットに則って符号化処理を行う（Ｓ２０２）。主信号の符号化と同時にピケットコード符号化・復号化回路９はピケットコードの符号化を行う。
【００３２】
具体的には、ピケットコード符号化・復号化回路９は、例えば、ＣＰＵから指示された情報データを図示しないＲＡＭから読み出す（Ｓ２０３）。そして、その情報データにパリティを付加し、例えば、リードソロモン符号やＢＣＨ符号等で符号化してピケットコードの符号化を行う（Ｓ２０４）。
【００３３】
生成したピケットコードはＭＵＸ／ＤＥＭＵＸ回路８により主信号に挿入され、主信号とピケットコードとを合体する（Ｓ２０５）。主信号へのピケットコードの挿入方法等は周知であるので詳しい説明は省略する。
【００３４】
生成したデータは変調・復調回路７により所定のフォーマットに則った変調方式で変調され（Ｓ２０６）、ＡＤ／ＤＡ変換回路６でＤ／Ａ変換処理される（Ｓ２０７）。その後、サーボ・ヘッド制御回路４で制御されたヘッド部５で電気／光変換処理を行い（Ｓ２０８）、光ディスク１の記録層に動画信号・音声信号等の連続性データとして記録される（Ｓ２０９）。
【００３５】
光ディスク１の記録層にデータを記録する場合には、予め欠陥登録個所が存在するかどうかの情報が光ディスクの欠陥登録記録エリア若しくは記録装置のメモリから読み出され、欠陥登録個所が存在する場合には、欠陥登録個所にはデータを記録しない。つまり、部分的に記録エリアを飛ばす手法、若しくは予め用意された欠陥登録記録エリアに記録する等の手法が採られる。
【００３６】
なお、光ディスクに動画信号・音声信号等の連続性データを記録する場合には、バーストエラー検出回路１０、アドレス検出回路１１、欠陥検出回路１２を動作させず、消費電力の効率化を図るのが望ましい。
【図面の簡単な説明】
【００３７】
【図１】本発明に係る情報記録再生装置の一実施形態を示すブロック図である。
【図２】本発明に係る多層記録媒体の欠陥処理方法を示すフローチャートである。
【図３】本発明に係る消失訂正区間を説明する図である。
【図４】本発明に係る多層光ディスクの欠陥登録処理を説明する図である。
【図５】本発明に係るデータ記録方法を示すフローチャートである。
【符号の説明】
【００３８】
１  光ディスク
２  スピンドルモータ
３  モータ制御回路
４  サーボ・ヘッド制御回路
５  ヘッド部
６  ＡＤ／ＤＡ変換回路
７  変調・復調回路
８  ＭＵＸ／ＤＥＭＵＸ回路
９  ピケットコード符号化・復号化回路
１０  バーストエラー検出回路
１１  アドレス検出回路
１２  欠陥検出器
１３  欠陥登録器
１４  信号処理・ＥＣＣ回路
１５  出力データ
１６  入力データ
【図１】
2008059628.tif 000003
【図２】
2008059628.tif 000004
【図３】
2008059628.tif 000005
【図４】
2008059628.tif 000006
【図５】
2008059628.tif 000007